(57)【要約】【課題】被介護者が便座への着座姿勢を取れなくとも、介助者に過大な負担を掛けることなく、便器を利用した排泄行為を可能とする排泄介助装置の提供。【解決手段】被介護者を臥位状態で乗せることができる寝台３と、寝台３に形成され、被介護者の股間部を下方側に露出させる孔部５と、寝台３を持ち上げ支持する伸縮可能な脚部１１、１１と、脚部１１、１１の伸縮動作を制御する操作部２３と、便器２７とを備える。寝台３の孔部５が便器２７の開口部２９の直上に配置されており、脚部１１、１１の伸縮により寝台３の高さ位置が変更される。従って、移乗等の際には、寝台３をある程度の高さにすることで、介助者が腰を大きく屈める必要がなくなり、腰への負担が軽減される。【選択図】  図１
0003205907.tif 000002
【実用新案登録請求の範囲】
【請求項１】
被介護者を臥位状態で乗せることができる寝台と、前記寝台に形成され、前記被介護者の股間部を下方側に露出させる孔部と、前記寝台を持ち上げ支持する伸縮可能な脚部と、前記脚部の伸縮動作を制御する操作部と、便器とを備え、
前記寝台の孔部が前記便器の開口部の直上に配置されており、前記脚部の伸縮により前記寝台の高さ位置が変更されることを特徴とする排泄介助装置。
【請求項２】
請求項１に記載した排泄介助装置において、
脚部は、筒状の基脚と、前記基脚に入れ子状に遊嵌され、前記基脚に対して上下動可能な支脚とで構成されていることを特徴とする排泄介助装置。
【請求項３】
請求項１または２に記載した排泄介助装置において、
操作部は足踏み式であることを特徴とする排泄介助装置。
【請求項４】
請求項１から３のいずれかに記載した排泄介助装置において、
寝台の孔部を取り外し自在に閉塞する閉鎖部を備えており、閉塞時には前記閉鎖部はその周りの前記寝台と略面一の上面を形成することを特徴とする排泄介助装置。
【考案の詳細な説明】
【技術分野】
【０００１】
本考案は、排泄介助装置に関するものである。
【背景技術】
【０００２】
常時臥位状態にあり、便座に座れないような被介護者に対しては、介護施設では、オムツを使用させ、介護者がそのオムツを取り替えて処理するようにしているところが多い。
而して、便意や尿意があるときには、オムツの世話を他人にされることに恥辱感を覚える人は少なくない。
【先行技術文献】
【特許文献】
【０００３】
【特許文献１】特開２０１６−２２３６７号公報
【考案の概要】
【考案が解決しようとする課題】
【０００４】
これに対して、引用文献１では、排泄を機械的に介助することを狙った介護用排泄物処理装置が提案されている。
この装置では、被介護者が自らの股間部に排泄物受けカップを装着した上で排泄すると、排泄後に、自動的に股間部を洗浄・乾燥すると共に、洗浄汚水と排泄物が汚物タンクに送られるようになっている。
しかしながら、上記した装置は大掛かりなものであり、設置場所を取るだけでなく、設置費用や更にはメンテナンス費用も嵩む。
【０００５】
本考案は上記従来の問題点に着目して為されたものであり、被介護者が便座への着座姿勢を取れなくとも、介助者に過大な負担を掛けることなく、便器を利用した排泄行為を可能とする排泄介助装置を提供することを、その目的とする。
【課題を解決するための手段】
【０００６】
上記課題を達成するために、請求項１の考案は、被介護者を臥位状態で乗せることができる寝台と、前記寝台に形成され、前記被介護者の股間部を下方側に露出させる孔部と、前記寝台を持ち上げ支持する伸縮可能な脚部と、前記脚部の伸縮動作を制御する操作部と、便器とを備え、前記寝台の孔部が前記便器の開口部の直上に配置されており、前記脚部の伸縮により前記寝台の高さ位置が変更されることを特徴とする排泄介助装置である。
【０００７】
請求項２の考案は、請求項１に記載した排泄介助装置において、脚部は、筒状の基脚と、前記基脚に入れ子状に遊嵌され、前記基脚に対して上下動可能な支脚とで構成されていることを特徴とする排泄介助装置である。
【０００８】
請求項３の考案は、請求項１または２に記載した排泄介助装置において、操作部は足踏み式であることを特徴とする排泄介助装置である。
【０００９】
請求項４の考案は、請求項１から３のいずれかに記載した排泄介助装置において、寝台の孔部を取り外し自在に閉塞する閉鎖部を備えており、閉塞時には前記閉鎖部はその周りの前記寝台と略面一の上面を形成することを特徴とする排泄介助装置である。
【考案の効果】
【００１０】
本考案の排泄介助装置を利用すれば、被介護者が便座への着座姿勢を取れなくとも、介助者に過大な負担を掛けることなく、便器を利用した排泄行為を行うことができる。
【図面の簡単な説明】
【００１１】
【図１】本考案の実施の形態に係る排泄介助装置の斜視図である。
【図２】図１の排泄介助装置の寝台を低い位置に設定した状態を示す側面図である。
【図３】図１の排泄介助装置の寝台を高い位置に設定した状態を示す側面図である。
【考案を実施するための形態】
【００１２】
本考案の実施の形態に係る排泄介助装置１を、図面にしたがって説明する。
この排泄介助装置１では、被介護者を臥位姿勢で乗せることができる寝台３を備えている。
この寝台３は、医療機関の診察ベッドのように長方形状になっており、中央部分には、孔部５が形成されている。この孔部５は、寝台３を上下方向に貫通しており、上方から見ると、寝台３の長手方向に長く延びた長円状になっている。孔部５は寝台３に乗せられた被介護者の股間部が有る程度の余裕をもって下方に向けて露出できるよう大きめに設定されている。
寝台３には合成樹脂製のカバーが被せられている。このカバーには有孔加工が施されており、孔部５の孔縁側にも被せられている。従って、図では、寝台３の上面及び側面、更には、孔部５の孔縁も、カバーで覆われた状態で示されている。
なお、寝台３の長手方向両側の縁に沿って、サイドガードを立設させることが可能となっているが、寝台３の視認の便宜のために、図示省略されている。
【００１３】
符号７はクッション片状の閉鎖部を示す。この閉鎖部７は孔部５を埋める形状で、孔部５の孔径よりも僅かに大きく形成されているので、丸枠内で示されているように、閉鎖部７が孔部５内に矢印に示すように差し込まれると、孔縁に圧嵌されて孔部５を隙間なく閉塞する。閉塞時には、閉鎖部７の上面はその周りの寝台３の上面と略面一にできるので、排泄するとき以外はその孔部５を閉塞して、通常の寝台と同様に使用することができる。
閉鎖部７は、寝台３に被せたカバーと同じ素材のカバーで全体が包まれており、図では、カバーで包まれた状態で示されている。
閉鎖部７には摘みループ９が取り付けられており、その摘みループ９が引っ張られると、孔部５から容易に取り外される。
【００１４】
寝台３は一対の脚部１１、１１に水平姿勢で架装されて、持ち上げ支持されている。
床面には、左右一対のベース脚１３、１３が距離をあけて互いに平行に並列されている。各ベース脚１３は扁平で上方視長方形をなしている。両ベース脚１３、１３は角状の連結体１５、１５で連結されて、全体として四角形のベースフレームになっている。
各ベース脚１３上には基脚１７が立設固定されている。この基脚１７は角筒状をしており、その内側には支脚１９が入れ子状に遊嵌されている。この基脚１７と支脚１９とで脚部１１が構成されている。
この左右一対の支脚１９、１９に寝台３が取付け部２１を介して固定されている。
【００１５】
基脚１７の内部にはモータと、スピンドルを有するアクチュレータが収納されており、スピンドルには支脚１９が固定されている。
電源供給を受けてモータが作動すると、スピンドルが上下方向に伸縮動作し、この伸縮動作に伴う作用力が支脚１９に伝達される。従って、この作用力を受けて、支脚１９が基脚１７に対して上下動する。この支脚１９の上下動によって、脚部１１が伸縮する。
従って、この一対の脚部１１、１１の伸縮により、寝台３が昇降して高さ位置を変更できる。
【００１６】
符号２３は操作部を示す。この操作部２３は足踏み式になっており、床面に置かれている。操作部２３の操作面は、左右に分かれており、拡大図に示すように、右側の操作面にはＵＰ（上昇）ペダルとＤＮ（下降）ペダルが配置されており、いずれかを択一的に踏むことにより、寝台３が上昇または下降することになる。また、左側の操作面にはメモリーペダル（Ｍ１、Ｍ２）が配置されている。このメモリーペダルは、高さが予め記憶されたものであり、このメモリーペダルを踏むことにより、記憶された高さまで上昇または下降することになる。メモリーペダルは、二つ配置されているので、平均的な体格の被介護者を移乗させ易い高さがメモリーペダル（Ｍ１）に記憶され、後述の洋式便器２７に極力近い高さがメモリーペダル（Ｍ２）に記憶されている。通常は、このメモリーペダル（Ｍ１、Ｍ２）を利用することで、寝台３の昇降における微妙な足踏み調整が不要となる。
この操作部２３に接続されたケーブル２５が、途中で分岐して最終的には上記した２つの基脚１７、１７にそれぞれ収納されたモータに接続されている。
また、モータ側からは電源ケーブル（図示省略）も引き出されており、この電源ケーブルは壁コンセントに接続すると電源が供給されるようになっている。
【００１７】
寝台３の下側には、洋式便器２７が固定設置されている。図では、視認の便宜のために、便器のみが示されているが、実際はタンクも備えられ、配管工事および電気工事がなされて、通常の使用が可能となっている。
この便器２７は蓋無しで、開口部２９が常時開放された状態になっている。
寝台３側は移動可能であるので、この便器２７の開口部２９の直上に、寝台３側の孔部５がくるように位置合わせされている。
【００１８】
排泄介助装置１は、上記したように構成されており、操作部２３の足踏み操作により、脚部１１、１１が伸縮動作して、寝台３の高さが変更される。
図２は、寝台３が低い位置にセットされた状態を示しており、図３は、寝台３が高い位置にセットされた状態を示している。
【００１９】
以下、この排泄介助装置１を利用した排泄介助を説明する。
先ず、寝台３を高い位置にセットした状態で、抱きかかえてきたり、介護リフト装置の吊り具に乗せて搬送してきた被介護者を寝台３に移乗させる。また、被介護者の下着を下ろす。そして、被介護者を仰臥位状態にして股間部を、孔部５に合わせて、下方に向けて露出させる。
移乗等の際には、寝台３をある程度の高さにすることで、介助者が腰を大きく屈める必要がなくなり、腰への負担が軽減される。
【００２０】
操作部２３を足踏みして寝台３を下げ、被介護者に排泄行為、主に排便行為をしてもらう。股間部は孔部５を介して便器２７の開口部２９の直上にあり、便座からそれほど高くない位置から排泄物を落とすことになるので、飛び跳ねは少ない。また、開口部２９に落下した排泄物の処理については、便器２７側の機能を利用するので、介助者は特別な後処理をする必要がない。
その後、操作部２３を足踏みして寝台３を上げる。高さを上げると、上記したように、介助者の腰への負担が軽減されるので、無理なく、股間部を清拭し、下着を上げて衣服を整えることができる。
その後は、再び抱きかかえるか、或いは介護リフト装置の吊り具に移乗させることで、排泄介助装置１での使用が終了することになる。
【００２１】
以上、本考案の実施の形態を説明したが、本考案の具体的構成は上記の実施の形態に限定されるものではなく、本考案の要旨から外れない範囲での設計変更があっても本考案に含まれる。
【符号の説明】
【００２２】
１…排泄介助装置      ３…寝台          ５…孔部            ７…閉鎖部
９…摘みループ      １１…脚部        １３…ベース脚      １５…連結部
１７…基脚            １９…支脚        ２１…取付け部      ２３…操作部
２５…ケーブル        ２７…洋式便器    ２９…開口部
【図１】
0003205907.tif 000003
【図２】
0003205907.tif 000004
【図３】
0003205907.tif 000005